(57)【要約】      （修正有）【課題】品物をディスプレー及び保管する組み立て式パイプをボルトとナットを使わずに簡単に組立てられるボルト無し組み立て式パイプ結合ブラケットを提供する。【解決手段】一対の水平係止孔が形成された水平パイプと一対の垂直係止孔が形成された垂直パイプの角に一対の両側面支持ボディー１１１ａ、１１１ｂが直角で組み立てて設けられ、側面支持ボディーの上端には水平係止孔に締結されるように水平係止突起１２１が形成され、側面支持ボディーの側面には垂直係止孔に締結されるように垂直係止突起１３１が形成された支持手段であるブラケット１００を備える。構造的安全性と堅固性、組み立ての手軽さと便利性及び多様な構造の活用と応用性を提供し、これによってブラケット製品の品質と信頼性を大幅に向上させるので、使用者である消費者の多様なニーズを満たして良いイメージを植えることができる。【選択図】図１
0003211762.tif 000002
【実用新案登録請求の範囲】
【請求項１】
品物をディスプレー及び保管する組み立て式パイプをボルトとナットを使わずに簡単に組立てられるようにするために、
一対の水平係止孔が形成された水平パイプと、一対の垂直係止孔が形成された垂直パイプの角に一対の両側面支持ボディーが直角で組み立てて設けられ、側面支持ボディーの上端には水平係止孔に締結されるように水平係止突起が形成され、側面支持ボディーの側面には垂直係止孔に締結されるように垂直係止突起が形成された支持手段であるブラケットを備える
ことを特徴とするボルト無し組み立て式パイプ結合ブラケット。
【請求項２】
前記支持手段であるブラケットは、
中央支持ボディーを中心として両端にそれぞれ一体で折り曲げて形成された一対の側面支持ボディーと、
側面支持ボディーの上端水平面に水平係止孔にはめ込まれるように突出された複数個の水平係止溝と水平係止突起と、
側面支持ボディーの側面垂直面に垂直係止孔にはめ込まれるように突出された複数個の垂直係止溝と垂直係止突起とを備える
請求項１に記載のボルト無し組み立て式パイプ結合ブラケット。
【請求項３】
前記水平面と垂直面は、水平、垂直パイプの角に緊密に密着して組み立てて設けられるようにするため、相互直角をなす
請求項２に記載のボルト無し組み立て式パイプ結合ブラケット。
【請求項４】
前記中央支持ボディーの両端または側面の一端には、
延長部が突出形成され、この延長部には締結具で垂直または水平パイプに緊密に締結できるように、水平締結孔と垂直締結孔が備わる
請求項２に記載のボルト無し組み立て式パイプ結合ブラケット。
【請求項５】
前記中央支持ボディーには、
ブラケットをパイプに緊密に組み立てる過程で別途の道具で打ち付けることができるようにした打撃溝が備わる
請求項２に記載のボルト無し組み立て式パイプ結合ブラケット。
【請求項６】
前記打撃溝は、
打撃する道具が邪魔されずに正確に打撃できるようにするため、直角溝からなる
請求項５に記載のボルト無し組み立て式パイプ結合ブラケット。
【考案の詳細な説明】
【技術分野】
【０００１】
本考案の実施例は、ボルト無し組み立て式パイプ結合ブラケットに係り、より詳細には、構造的安全性と堅固性、組み立ての手軽さと便利性、及び多様な構造の活用と応用性を提供し、これによってブラケット製品の品質と信頼性を大幅に向上させるので、使用者である消費者の多様なニーズを満たして良いイメージを植えることができるようにしたものである。
【背景技術】
【０００２】
周知のように、組み立て式棚（アングル）は物流倉庫、スーパーマーケット、ディスカウントストア、各種商店などで、販売するための商品をディスプレーしたり、または物品を載せて保管するために組み立てて設けられる構造物である。
このような組み立て式棚（アングル）は、顧客が多様な商品を容易に選択できるように各種商品のディスプレー及び展示が効果的で、設置が比較的に簡単なだけでなく、分解し易い長所を持っているので、広く使われている。
普通、組み立て式棚（アングル）は、四角い枠の配置構造で立てられる垂直部材と、各垂直部材の間を横に区切って連結される水平部材で構成されるし、前記垂直部材と水平部材にある各孔を通じてボルトとナットが締結されて組み立てられる構造からなる。
【０００３】
しかし、ボルトとナットを使う組み立て式棚（アングル）は、組み立て作業がとても複雑で多くの時間を要する短所があり、特に解体作業の際にボルトとナットを一つずつ解かなければならない問題点がある。
【０００４】
一方、水平部材の側面にリベットを付着し、垂直部材の側面にはリベットに対応される結合具を形成して、垂直部材と水平部材を組み立てる形態の組み立て式棚（アングル）が提示されているが、これもまた水平部材の側面にリベットを付着する作業工程を必要とするなど、水平部材の作業工程が複雑という短所があり、リベットを用いた締結方式は結合力が弱くて緩くなる短所があって、実用性の側面で不利な点がある。
このような点を考慮して、最近はボルト及びナットを使わない、ボルト無し組み立て式棚（アングル）が多く使用されている傾向にある。
【０００５】
しかし、前記組み立て式棚の枠は、垂直部材に結合される水平部材が左右に搖れないようにするために締りばめ形式で締結する方式によって、作業者が締りばめのために水平部材の係止片を垂直部材の締結スロットに挟み込んだ後、この状態で水平部材を所定の力で下方に押して締結するので、その締結が容易ではない問題点がある。
また、水平部材と垂直部材の組み立て及び解体が頻繁である場合、これら部材に形成された締結スロットと係止片の間に摩耗が生じて締結力が劣ることになり、これによって締結部位が左右に搖れながら構造的に安定感が低下する問題点がある。
さらに、前記の従来技術は、構造的安全性と堅固性、組み立ての手軽さと便利性、及び多様な構造の活用と応用性を提供することができない大きな問題点が発生した。
【０００６】
前記問題点を解決するために従来は下記のような先行技術文献が出願されたことがあるが、依然として前記の従来技術の問題点を一挙に解決できていない大きな問題点が発生した。
【先行技術文献】
【特許文献】
【０００７】
【特許文献１】韓国  登録特許公報  第１５８０２７４号（２０１５.１２.１８）
【特許文献２】韓国  登録特許公報  第１０９２１４３号（２０１１.１２.０２）
【特許文献３】韓国  公開実用新案公報  第２０１４-０００１９３０号（２０１４.０４.０３）
【特許文献４】韓国  公開特許公報  第２００４-００８９４０５号（２００４.１０.２１）
【特許文献５】韓国  登録特許公報  第０６１４９８３号（２００６.０８.１６）
【考案の概要】
【０００８】
本考案は、前記のような従来技術の諸般問題点を解消するために案出したもので、中央支持ボディーを中心として両面に一対の側面支持ボディーが一体と形成されると同時に、水平面に水平係止突起と垂直面に垂直係止突起が形成された支持手段であるブラケットが備えられることを第１目的としたものであり、前記の技術的構成による本考案の第２目的は、各種品物をディスプレー及び保管する組み立て式パイプをボルトとナットを使わずに簡単に組立てるようにすることであり、第３目的はパイプを溶接せずに堅く組み立てて設けられるようにしたことであり、第４目的は構造的安全性と堅固性を提供するようになり、第５目的は組み立ての手軽さと便利性を提供し、第６目的は多様な構造の活用と応用性を提供し、第７目的はモールステーパ（Ｍｏｒｓｅ ｔａｐｅｒ）方式で荷重を受けるほど安定して揺らぎない構造を提供し、第８目的はこれによってブラケット製品の品質と信頼性を大幅に向上させるので、使用者である消費者の多様な欲求（ニーズ）を満たして良いイメージを植えることができるようにした、ボルト無し組み立て式パイプ結合ブラケットを提供する。
【０００９】
このような目的を達成するために、本考案は、品物をディスプレー及び保管する組み立て式パイプをボルトとナットを使わずに簡単に組立てられるようにするのために、一対の水平係止孔が形成された水平パイプと、一対の垂直係止孔が形成された垂直パイプの角に一対の両側面支持ボディーが直角で組み立てて設けられ、側面支持ボディーの上端には水平係止孔に締結されるように水平係止突起が形成されるし、側面支持ボディーの側面には垂直係止孔に締結されるように垂直係止突起が形成された支持手段であるブラケット；が含まれることを特徴とする、ボルト無し組み立て式パイプ結合ブラケットを提供する。
【００１０】
前記で詳察したように、本考案は、中央支持ボディーを中心として両面に一対の側面支持ボディーが一体と形成されると同時に、水平面に水平係止突起と垂直面に垂直係止突起が形成された支持手段であるブラケットが備えられるようにしたものである。
前記の技術的構成による本考案は、各種品物をディスプレー及び保管する組み立て式パイプをボルトとナットを使わずに簡単に組立てられるようにしたものである。
【００１１】
また、本考案は、パイプを溶接せずに堅く組み立てて設けられるようにしたものである。
そして、本考案は、構造的安全性と堅固性を提供する。
また、本考案は、組み立ての手軽さと便利性を提供する。
同時に、本考案は、多様な構造の活用と応用性を提供する。
さらに、本考案は、モールステーパ（Ｍｏｒｓｅ ｔａｐｅｒ）方式によって荷重を受けるほど安定して揺れない構造を提供する。
【００１２】
本考案は、前記効果によってブラケット製品の品質と信頼性を大幅に向上させるので、使用者である消費者の多様な欲求（ニーズ）を満たして良いイメージを植えることができるようにしたとても有用な考案である。
以下に、このような効果を達成するための本考案の好ましい実施例を添付の図面を参照して詳しく説明すれば、次のとおりである。
【図面の簡単な説明】
【００１３】
【図１】本考案の第１実施例のボルト無し組み立て式パイプ結合ブラケットの斜視図
【図２】本考案の第１実施例のボルト無し組み立て式パイプ結合ブラケットをパイプに結合する前の分解斜視図
【図３】本考案の第１実施例のボルト無し組み立て式パイプ結合ブラケットをパイプに結合した斜視図
【図４】本考案の第１実施例のボルト無し組み立て式パイプ結合ブラケットをパイプに結合した断面図
【図５】本考案の第２実施例のボルト無し組み立て式パイプ結合ブラケットの斜視図
【図６】本考案の第２実施例のボルト無し組み立て式パイプ結合ブラケットをパイプに結合する前の分解斜視図
【図７】本考案の第２実施例のボルト無し組み立て式パイプ結合ブラケットをパイプに 結合した斜視図
【図８】本考案の第２実施例のボルト無し組み立て式パイプ結合ブラケットをパイプに結合した断面図
【図９】本考案の第３実施例のボルト無し組み立て式パイプ結合ブラケットの斜視図
【図１０】本考案の第３実施例のボルト無し組み立て式パイプ結合ブラケットをパイプに結合する前の分解斜視図
【図１１】本考案の第３実施例のボルト無し組み立て式パイプ結合ブラケットをパイプに結合した斜視図
【図１２】本考案の第３実施例のボルト無し組み立て式パイプ結合ブラケットをパイプに結合した断面図
【考案を実施するための形態】
【００１４】
本考案に適用されたボルト無し組み立て式パイプ結合ブラケットは、図１ないし図１２に図示されたように構成されるものである。
下記で本考案を説明するにあたり、係わる公知機能または構成に対する具体的な説明が本考案の要旨を曖昧にすることがあると判断される場合は、その詳細な説明は省略する。
そして、後述する用語は、本考案での機能を考慮して設定した用語であって、これは生産者の意図または慣例によって変わることがあるので、その定義は本明細書全般にわたる内容に基づいてされる。
また、図面で示された各構成の大きさ及び厚さは、説明の便宜のために任意に表したもので、本考案が必ず図面に図示されたものに限定されない。
【００１５】
先ず、本考案は、各種品物をディスプレー及び保管する組み立て式パイプをボルトとナットを使わずに簡単に組み立てられるようにするために支持手段のブラケット（１００、第１実施例、１００ａ、第２実施例、１００ｂ、第３実施例）が備えられる。
【００１６】
すなわち、本考案は、一対の水平係止孔１１が形成された水平パイプ１０と、一対の垂直係止孔２１が形成された垂直パイプ２０の角に一対の両側面支持ボディー１１１ａ、１１１ｂが直角で組み立てて設けられ、前記側面支持ボディーの上端には水平係止孔１１に締結されるように水平係止突起１２１が形成され、側面支持ボディーの側面には垂直係止孔２１に締結されるように垂直係止突起１３１が形成された第１支持手段であるブラケット１００ または第２支持手段であるブラケット１００ａまたは第３支持手段であるブラケット１００ｂが含まれた、ボルト無し組み立て式パイプ結合ブラケットを提供する。
特に、前記第１、２、３支持手段であるブラケット１００、１００ａ、１００ｂは、次のように構成される。
つまり、本考案は、中央支持ボディー１１０を中心として両端にそれぞれ一体で折り曲げて形成された一対の側面支持ボディー１１１ａ、１１１ｂが形成される。
【００１７】
また、本考案は、前記側面支持ボディー１１１ａ、１１１ｂの上端水平面１２０には水平係止孔１１にはめ込まれるように突出された複数個の水平係止溝１２２と水平係止突起１２１が形成される。
そして、本考案は、前記側面支持ボディー１１１ａ、１１１ｂの側面垂直面１３０には垂直係止孔２１にはめ込まれるように突出された複数個の垂直係止溝１３２と垂直係止突起１３１が形成される。
このとき、本考案に適用された前記水平面１２０と垂直面１３０は、水平、垂直パイプの角に緊密に密着して組み立てて設けられるようにするため、相互直角をなすことが好ましい。
【００１８】
また、本考案は、前記中央支持ボディー１１０の両端または側面の一端に延長部１４０、１５０が突出形成され、この延長部には締結具（図面上未図示）で垂直または水平パイプに緊密に締結できるように、水平締結孔１４１と垂直締結孔１５１が形成される。
同時に、本考案に適用された前記中央支持ボディー１１０には、ブラケットをパイプに緊密に組み立てる過程で別途の道具で打ち付けることができるようにした打撃溝１１５が形成される。
さらに、本考案に適用された前記打撃溝１１５は、打撃する道具が邪魔されずに正確に打撃できるようにするため、直角溝からなることが好ましい。
【００１９】
一方、本考案は、前記構成部を適用するにあたり、多様に変形されることができるし、様々な形を取ることができる。
そして、本考案は、前記の詳細な説明で言及される特別な形態に限定されないものと理解されるべきであり、むしろ添付された請求範囲によって定義される本考案の思想と範囲内にある全ての変形物と均等物及び代替物を含むものとして理解されなければならない。
前記のように構成された本考案のボルト無し組み立て式パイプ結合ブラケットの作用効果を説明すれば、次のとおりである。
【００２０】
まず、本考案に適用された図１は本考案の第１実施例のボルト無し組み立て式パイプ結合ブラケット１００の斜視図で、図２は本考案の第１実施例のボルト無し組み立て式パイプ結合ブラケットをパイプに結合する前の分解斜視図を示したものである。このような状態でブラケットをパイプに結合すれば図３、４のようになり、図３は本考案の第１実施例のボルト無し組み立て式パイプ結合ブラケットをパイプに結合した斜視図で、図４は本考案の第１実施例のボルト無し組み立て式パイプ結合ブラケットをパイプに結合した断面図を示したものである。
【００２１】
本考案の第１実施例の作用効果をより詳しく説明すれば次のとおりである。
先ず、ブラケット１００の水平係止突起１２１を水平パイプ１０の水平係止孔１１にはめ込む。その後、ブラケット１００を水平係止溝１２２の方向へ押し入れると、ブラケット１００が水平パイプ１０に堅く固定して設けられる。
このとき、本考案に適用された水平係止突起１２１は、一対の複数個で突出形成され、ブラケット１００が左右に搖れることなく堅く水平パイプ１０に固定して設けられるように手伝う。
【００２２】
次いで、前記ブラケット１００が水平パイプ１０に結合された状態でブラケット１００の垂直係止突起１３１を垂直パイプ２０の垂直係止孔２１にはめ込む。その後、ブラケット１００を垂直係止溝２１の方向である下の方向へ押し入れると、ブラケット１００が垂直パイプ２０に堅く固定して設けられる。
この時も、本考案に適用された垂直係止突起１３１は一対の複数個で突出形成され、ブラケット１００が左右に搖れることなく堅く垂直パイプ２０に固定して設けられるように手伝う。
【００２３】
特に、本考案は、前記組み立て過程で打撃道具（例：ゴム槌、木の槌など）を利用して打撃溝１１５を打つと、ブラケット１００を容易に水平、垂直パイプに結合させることができる。
このとき、前記打撃溝１１５は打撃する道具が邪魔されずに正確に打撃できるようにするために直角溝からなって、より容易に組立てられるように手伝う。
同時に、本考案は、水平面１２０と垂直面１３０が水平、垂直パイプの角に緊密に密着して組み立てて設けられるようにするため、相互直角からなって堅固に固定して設けられるように手伝う。
【００２４】
さらに、本考案は、前記中央支持ボディー１１０の両端に水平延長部１４０と垂直延長部１５０が突出形成され、各々の延長部には締結具（図面上未図示）で垂直または水平パイプに緊密に締結できるように、水平締結孔１４１と垂直締結孔１５１が形成される。
特に、本考案は、中央支持ボディー１１０を中心として両端にそれぞれ一体で折り曲げて形成された一対の側面支持ボディー１１１ａ、１１１ｂが形成され、これはブラケットが一つのボディーからなるので、堅固性を提供する。
前記のように組み立てられたブラケットを分解する場合には、前述した動作手順の逆順に作動すれば簡単に分離することができる。
【００２５】
一方、図５は本考案の第２実施例のボルト無し組み立て式パイプ結合ブラケットの斜視図で、図６は本考案の第２実施例のボルト無し組み立て式パイプ結合ブラケットをパイプに結合する前の分解斜視図であり、図７は本考案の第２実施例のボルト無し組み立て式パイプ結合ブラケットをパイプに結合した斜視図で、図８は本考案の第２実施例のボルト無し組み立て式パイプ結合ブラケットをパイプに結合した断面図を示したものである。
前記のような本考案の第２実施例は、第１実施例の水平延長部１４０と水平締結孔１４１を除いて全て同一に構成されるし、作用効果も同一に作動する。
【００２６】
他方、図９は本考案の第３実施例のボルト無し組み立て式パイプ結合ブラケットの斜視図で、図１０は本考案の第３実施例のボルト無し組み立て式パイプ結合ブラケットをパイプに結合する前の分解斜視図であり、図１１は本考案の第３実施例のボルト無し組み立て式パイプ結合ブラケットをパイプに結合した斜視図で、図１２は本考案の第３実施例のボルト無し組み立て式パイプ結合ブラケットをパイプに結合した断面図を示したものである。
前記のような本考案の第３実施例は、第１実施例の２つの水平係止突起を３つで形成したことを除いて全て同一に構成されるし、作用効果も同一に作動する。
【産業上の利用可能性】
【００２７】
本考案のボルト無し組み立て式パイプ結合ブラケットの技術的思想は、実際に同一の結果を繰り返して実施できることであって、特に、このような本考案を実施することで、技術発展を促進して産業発展に貢献することができ、保護する価値が十分にある。
【符号の説明】
【００２８】
１０    水平パイプ
２０    垂直パイプ
１００    ブラケット
【図１】
0003211762.tif 000003
【図２】
0003211762.tif 000004
【図３】
0003211762.tif 000005
【図４】
0003211762.tif 000006
【図５】
0003211762.tif 000007
【図６】
0003211762.tif 000008
【図７】
0003211762.tif 000009
【図８】
0003211762.tif 000010
【図９】
0003211762.tif 000011
【図１０】
0003211762.tif 000012
【図１１】
0003211762.tif 000013
【図１２】
0003211762.tif 000014